【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
電話番号のプールに関連付けられているデータ構造を提供するステップであって、前記電話番号は、ユーザに提示されるコンテンツアイテムに割り当てるために初めに利用可能であり、前記データ構造は、前の期間に割り当てられた電話番号のためのエントリを含み、かつエントリは、コンテンツアイテムのインプレッションに基づいてユーザに割り当てられた前記プールからの電話番号に対する識別子と、前記ユーザに対する識別子と、前記コンテンツアイテムのためのコンテンツスポンサーに対する識別子とを含み、前記データ構造は、ユーザ及びコンテンツスポンサー識別子の異なる組合せを含む各エントリで同一の電話番号のための複数のエントリを含む、ステップと、
コンテンツアイテムをユーザに配信する機会を識別するステップと、
1つまたは複数のプロセッサによって、電話番号の前記プールから前記コンテンツアイテムに電話番号を動的に割り当てるステップであって、割り当てるステップは、前記1つまたは複数のプロセッサによって、前記ユーザと前記コンテンツアイテムのスポンサーとの組合せに以前に割り当てられていない電話番号を見つけるために前記データ構造を評価するステップと、前記電話番号を前記コンテンツアイテムと関連付けるステップとを含む、ステップと、
前記スポンサーへの呼を開始するためのコントロールのユーザインタラクティブな操作を示す指示を受信するステップであって、前記指示は、前記デバイス上の前記コンテンツアイテムの提示に対応する識別子を含む、ステップと、
前記ユーザインタラクティブな操作に基づき前記ユーザと前記スポンサーとの間の呼を円滑にするステップと、
前記ユーザと、前記割り当てられた電話番号と、前記コンテンツスポンサーとの間の関連付けを、前記データ構造内に記憶するステップであって、前記関連付けは、前記割り当てられた電話番号が利用可能電話番号の前記プールに戻され、または再割り当てされた後であっても、前記電話番号への前記ユーザからの呼を前記コンテンツスポンサーにルーティングさせる、ステップと
を含む方法。
【請求項２】
前記デバイスは、モバイルデバイスである請求項1に記載の方法。
【請求項３】
前記コンテンツアイテムは、広告である請求項1に記載の方法。
【請求項４】
割り当てる前記ステップは、インプレッションを与えるとき、または前記インタラクティブな操作を示す前記指示を受信した後のいずれかに実行される請求項1に記載の方法。
【請求項５】
前記コントロールは、目に見える電話番号を含まないボタンである請求項1に記載の方法。
【請求項６】
前記プールは、他のコンテンツアイテムに以前に割り当て済みであってもなくてもよいが、割り当てに現在利用可能である複数の電話番号を含む請求項1に記載の方法。
【請求項７】
前記割り当てられた電話番号を、コンテンツアイテムへの割り当ての後の所定の長さの時間の後、またはユーザによるインタラクティブな操作を受けることなく割り当ての後の所定の長さの時間の後のいずれかに前記プールに戻すステップをさらに含む請求項6に記載の方法。
【請求項８】
前記インタラクティブな操作は、クリックであり、円滑にするステップは、前記インタラクティブな操作に基づき前記ユーザからの呼を受信するステップと、前記受信された呼を前記コンテンツスポンサーに関連付けられている電話番号に接続するステップとを含む請求項1に記載の方法。
【請求項９】
前記ユーザに関連付けられている前記識別子は、発呼側電話番号であり、前記方法は、
前記プール内にある電話番号への呼を受信するステップと、前記受信された呼に対する発呼側番号を識別するステップと、前記発呼側番号が、記憶されている発呼側番号と同じであるかどうかを決定するステップと、同じであるときに、前記呼を前記コンテンツスポンサーに接続するステップとをさらに含む請求項1に記載の方法。
【請求項１０】
割り当てるステップは、前記コンテンツスポンサーに以前に割り当てられていたことが履歴に残っている前記コンテンツアイテムに番号を割り当てるステップを含む請求項1に記載の方法。
【請求項１１】
システムであって、
1つまたは複数のプロセッサと、
実行されたときに、
電話番号のプールに関連付けられているデータ構造を提供し、前記電話番号は、ユーザに提示されるコンテンツアイテムに割り当てるために初めに利用可能であり、前記データ構造は、前の期間に割り当てられた電話番号のためのエントリを含み、かつエントリは、コンテンツアイテムのインプレッションに基づいてユーザに割り当てられた前記プールからの電話番号に対する識別子と、前記ユーザに対する識別子と、前記コンテンツアイテムのためのコンテンツスポンサーに対する識別子とを含み、前記データ構造は、ユーザ及びコンテンツスポンサー識別子の異なる組合せを含む各エントリで同一の電話番号のための複数のエントリを含み、
コンテンツアイテムをユーザに配信する機会を識別し、
電話番号の前記プールから前記コンテンツアイテムに電話番号を動的に割り当て、割り当てることは、前記1つまたは複数のプロセッサによって、前記ユーザと前記コンテンツアイテムのスポンサーとの組合せに以前に割り当てられていない電話番号を見つけるために前記データ構造を評価することと、前記電話番号を前記コンテンツアイテムと関連付けることとを含み、
前記スポンサーへの呼を開始するためのコントロールのユーザインタラクティブな操作を示す指示を受信し、前記指示は、前記デバイス上の前記コンテンツアイテムの提示に対応する識別子を含み、
前記ユーザインタラクティブな操作に基づき前記ユーザと前記スポンサーとの間の呼を円滑にし、
前記ユーザと、前記割り当てられた電話番号と、前記コンテンツスポンサーとの間の関連付けを、前記データ構造内に記憶し、前記関連付けは、前記割り当てられた電話番号が利用可能電話番号の前記プールに戻され、または再割り当てされた後であっても、前記電話番号への前記ユーザからの呼を前記コンテンツスポンサーにルーティングさせる、
ことを前記1つまたは複数のプロセッサにさせる命令を含む1つまたは複数のメモリ素子と
を備えるシステム。
【請求項１２】
前記割り当てることは、インプレッションを与えるとき、またはインタラクティブな操作を示す前記指示を受信した後のいずれかに実行される請求項11に記載のシステム。
【請求項１３】
前記コントロールは、目に見える電話番号を含まないボタンである請求項11に記載のシステム。
【請求項１４】
電話番号の前記プールは、他のコンテンツアイテムに以前に割り当て済みであってもなくてもよいが、割り当てに現在利用可能である複数の電話番号を含む請求項11に記載のシステム。
【請求項１５】
前記1つまたは複数のメモリ素子は、実行されたとき、前記1つまたは複数のプロセッサに、前記割り当てられた電話番号を、コンテンツアイテムへの割り当ての後の所定の長さの時間の後、またはユーザによるインタラクティブな操作を受けることなく割り当ての後の所定の長さの時間の後のいずれかに前記プールに戻すようにさせる命令をさらに含む請求項11に記載のシステム。
【請求項１６】
非一時的コンピュータ可読記憶デバイスであって、
プロセッサによって実行されたとき、
電話番号のプールに関連付けられているデータ構造を提供し、前記電話番号は、ユーザに提示されるコンテンツアイテムに割り当てるために初めに利用可能であり、前記データ構造は、前の期間に割り当てられた電話番号のためのエントリを含み、かつエントリは、コンテンツアイテムのインプレッションに基づいてユーザに割り当てられた前記プールからの電話番号に対する識別子と、前記ユーザに対する識別子と、前記コンテンツアイテムのためのコンテンツスポンサーに対する識別子とを含み、前記データ構造は、ユーザ及びコンテンツスポンサー識別子の異なる組合せを含む各エントリで同一の電話番号のための複数のエントリを含み、
コンテンツアイテムをユーザに配信する機会を識別し、
電話番号の前記プールから前記コンテンツアイテムに電話番号を動的に割り当て、割り当てることは、前記1つまたは複数のプロセッサによって、前記ユーザと前記コンテンツアイテムのスポンサーとの組合せに以前に割り当てられていない電話番号を見つけるために前記データ構造を評価することと、前記電話番号を前記コンテンツアイテムと関連付けることとを含み、
前記スポンサーへの呼を開始するためのコントロールのユーザインタラクティブな操作を示す指示を受信し、前記指示は、前記デバイス上の前記コンテンツアイテムの提示に対応する識別子を含み、
前記ユーザインタラクティブな操作に基づき前記ユーザと前記スポンサーとの間の呼を円滑にし、
前記ユーザと、前記割り当てられた電話番号と、前記コンテンツスポンサーとの間の関連付けを、前記データ構造内に記憶し、前記関連付けは、前記割り当てられた電話番号が利用可能電話番号の前記プールに戻され、または再割り当てされた後であっても、前記電話番号への前記ユーザからの呼を前記コンテンツスポンサーにルーティングさせる
ことを前記プロセッサにさせる命令を含む非一時的コンピュータ可読記憶デバイス。
【請求項１７】
前記割り当てることは、インプレッションを与えるとき、またはインタラクティブな操作を示す前記指示を受信した後のいずれかに実行される請求項16に記載のコンピュータ可読記憶デバイス。
【請求項１８】
前記コントロールは、目に見える電話番号を含まないボタンである請求項16に記載のコンピュータ可読記憶デバイス。
【請求項１９】
前記プールは、他のコンテンツアイテムに以前に割り当て済みであってもなくてもよいが、割り当てに現在利用可能である複数の電話番号を含む請求項16に記載のコンピュータ可読記憶デバイス。
【請求項２０】
プロセッサによって実行されたときに、前記プロセッサに、前記割り当てられた電話番号を、コンテンツアイテムへの割り当ての後の所定の長さの時間の後、またはユーザによるインタラクティブな操作を受けることなく割り当ての後の所定の長さの時間の後のいずれかに前記プールに戻すことを実行させる命令をさらに含む請求項16に記載のコンピュータ可読記憶デバイス。